(57)【要約】【課題】設置面積が取られなく風向に常時対応する縦軸型の風車において、風車の羽根が太陽光パネルであるにもかかわらず支持手段が軽量であって、微風を捉えて軽快に高速回転するために、発電機による電力が得られやすく、太陽光発電とも相まって発電効率が良好となる発電用の風車を提供する。【解決手段】この発明は、発電機を回転駆動する縦軸に、風受けの板羽根が上下の支持体を介して該軸から等位に配列されてなる発電用の風車において、両支持体は、縦軸に嵌着されるボスとその外側のリムとの間に多数のワイヤーが交差して介在されるワイヤースポークホィールであり、板羽根は、太陽光パネルを枠組みしてなり、枠組みの一端でリムに固着して取り付けられ、その一端の縦枠に追加的に風を受けるポケットを設けた。【選択図】    図１
2014169671.tif 000002
【特許請求の範囲】
【請求項１】
発電機を回転駆動する縦軸に、風受けの板羽根が上下の支持体を介して該軸から等位に配列されてなる発電用の風車において、両支持体は、縦軸に嵌着されるボスとその外側のリムとの間に多数のワイヤーが交差して介在されるワイヤースポークホィールであり、板羽根は、太陽光パネルを枠組みしてなり、枠組みの一端でリムに固着して取り付けられ、その一端の縦枠に追加的に風を受けるポケットを設けたことを特徴とする発電用の風車。
【請求項２】
板羽根は、受光面が表裏に有するように二枚合わせに太陽光パネルが嵌められていることを特徴とする請求項１記載の発電用の風車。
【請求項３】
太陽光が裏側の太陽光パネルに反射させるための反射光照射装置を装備してなることを特徴とする請求項２記載の発電用の風車。
【発明の詳細な説明】
【技術分野】
【０００１】
この発明は、風力ばかりでなく太陽光を利用して発電することのできるよう太陽光パネルを備えた発電用の風車に関する。
【背景技術】
【０００２】
現在、将来的な見地から、風力、太陽光、地熱、水力等の再生エネルギーの開発が急がれている。そのうち、風力については、風車が利用されるが、大部分が横軸型の所謂プロペラ型の風車であって、縦軸の回りに羽根を配列した縦軸型はほとんど見られない。これは、開発投資が横軸型に一挙に集中し開発されたことの結果であって、縦軸型が決して劣っている訳ではなく、風向が定まらない日本の風土においては、むしろ有利であるとされる。そういう意味で未開拓の分野ともいえる。
【０００３】
一方、太陽光については、太陽光パネルが用いられ、その技術の進歩が著しいが、太陽光を面で捉える関係で、広い設置面積を必要とするため、自家発電等の小規模な発電には、屋根が有効に利用されているが、屋上や狭い庭等にはパネル面積が取られるため使用に適しなかった。
【発明の概要】
【発明が解決しようとする課題】
【０００４】
風力、太陽光の利用は、いずれも気候や天候による影響が大きく、風力では無風状態において、太陽光では夜間や冬期においては電力が得られない難点がある。そこで、両方が相補って発電の安定性を得るために、本出願人等は、縦軸型の風車において、太陽光パネルの羽根の風車を開発してきた。しかし、太陽光パネルの装備について重量が多くなり、特にその支持構造に丈夫な重い部材が使用されることから、回転が鈍くなり、発電機で所望の電力が得られなくなるという問題があった。
【０００５】
この発明は、上記のような実情に鑑みて、設置面積が取られなく風向に常時対応する縦軸型の風車において、風車の羽根が太陽光パネルであるにもかかわらず支持手段が軽量であって、微風を捉えて軽快に高速回転するために、発電機による電力が得られやすく、太陽光発電とも相まって発電効率が良好となる発電用の風車を提供することを課題とした。
【課題を解決するための手段】
【０００６】
上記の課題を解決するために、この発明は、発電機を回転駆動する縦軸に、風受けの板羽根が上下の支持体を介して該軸から等位に配列されてなる発電用の風車において、両支持体は、縦軸に嵌着されるボスとその外側のリムとの間に多数のワイヤーが交差して介在されるワイヤースポークホィールであり、板羽根は、太陽光パネルを枠組みしてなり、枠組みの一端でリムに固着して取り付けられ、その一端の縦枠に追加的に風を受けるポケットを設けたことを特徴とする発電用の風車を提供する。
【０００７】
発電用の風車を上記のように構成したから、板羽根が受ける風力は、ワイヤースポークホィールの軽量且つ強度のある支持体を介して縦軸に伝達され、これで発電機が安定して駆動される。この軽量さに加え、板羽根は、羽根ばかりでなくポケットにより風を受けることから加速性が良好である。
【発明の効果】
【０００８】
以上説明したように、この発明は、設置面積が取られない縦軸型の風車において、風車の羽根が太陽光パネルであるにもかかわらず、それを支持する支持体がワイヤースポークホィールの丈夫で軽量な構造であり、しかも、板羽根に風力を受けやすく追加的にポケットを具備する関係で、微風を捉えて軽快に高速回転するために、発電効率が良好であり、発電機と太陽光パネルとの総和により安定した電力が得られるという優れた効果がある。
【図面の簡単な説明】
【０００９】
【図１】この発明に係る発電用の風車を示す斜視図である。
【図２】同風車の正面図である。
【図３】同風車の要部を上から見た平面図である。
【図４】同風車の板羽根を示す正面図である。
【図５】図４のＡ−Ａ線矢視の拡大断面図である。
【図６】他の実施例を示す図５に対応する断面図である。
【図７】この発明に利用するワイヤースポークホィールにおいてスポークの交差状態を示す斜視説明図である。
【発明を実施するための形態】
【００１０】
この発明では、縦軸１７の周囲に配置する板羽根９，９・・の支持体１８がワイヤースポークホィールであって、これには自転車や人力車等の車輪で代替可能である。いずれにしても、ワイヤースポーク２３，２３・・の配列であると、光の透過率が１００％近くであり、裏面にも太陽光パネル２７を有する場合（請求項２）、太陽光の利用効率が高くなる。
【００１１】
また、ワイヤースポークホィールであると、ボス２２との連結位置によりスポーク２３，２３どうしを高さ違いでの上下交差または円周方向の横交差により、支持体の強度が高度に高められ、これも自転車や人力車等の車輪の利用で得られる。さらに、車輪であると、タイヤが嵌るようリム２４の断面が溝形のリブ構造であり、全体的に軽量となり板羽根９の支持を頑強になし得る。
【実施例１】
【００１２】
図１ないし図５は、一実施例を示したもので、その発電用の風車は、設置基台１に逆Ｕ字形パイプの外フレームパイプ５を起立して搭載し、外フレームパイプ５に風車３と、太陽光反射装置としての反射鏡４とが上下に納まり支持される。また、基台１の上には風車３と反射鏡４と発電機７を載せる梁型の受け台１０が設置される。
【００１３】
外フレームパイプ５は、金属パイプ製の座枠１１付きであって、基台１の上に跨る座枠１１の上に逆Ｕ形に起立される。その坐枠１１は、無端の環状であるとともに、左右両端に逆Ｖ字形の起き上がり傾斜部１５，１５を形成したもので、その頂点で逆Ｕ字形の下端が受けられる。
【００１４】
反射鏡６は、金属板で逆円錐台の筒形に形成され内面が反射面である。そして、上に設置される風車３の間や支持体１８のスポークの間から漏れた光が内面に当たると、反射光が板羽根９の裏面に向かって照射されるように設計される。
【００１５】
風車３は、縦軸１７に上下支持体１８，１８を軸着して取り付けたもので、それを介して中心から等位に５枚の板羽根９，９・・が配列される。基台１の上の受け台１０には縦軸１７の下端を支持する下部軸受２１が、外フレームパイプ５の上端中央に上部軸受２０が設けられる。そして、縦軸１７の下端部（反射鏡６の上端高さ位置）と上端部とに支持体１８，１８が位置して取り付けられる。
【００１６】
支持体１８，１８は、ワイヤースポークリムの車輪を利用したもので、ボス２２とリム２４との間に多数のワイヤースポーク２３，２３・・が配列されているが（図７）、ボス２２が筒形の上下両端に鍔部２２ａ、２２ａを有する構造であって、上下鍔部２２ａ、２２ａにスポーク２３，２３が連結することで上下に交差し（上下交差）、あるいは周方向に対して交差する（横交差）形態となっている。この交差状から、板羽根２７を支持する強度が極めて大きい。
【００１７】
板羽根９は、上下に長い矩形の枠組み２５の中において、２枚の太陽光パネル２７，２７が背中合わせの間にガラス板３０を挟んだサンドイッチ形態であり、枠組み２５の一側端に風受けポケット２９が設けられる。
【００１８】
枠組み２５は、それぞれアルミ押出成形された左右縦枠３１，３２と上下枠３３，３３との組合せからなり、一側の縦フレーム３１には前記風受けポケット２９が一体に押出成形して設けられる。
【００１９】
また、枠組み２５の内側には２枚の太陽光パネル２７，２７を挟むように面押え２８，２８が嵌め込まれ、その面押え２８は、格子状ないし網状に形成される。なお、３５は、各枠３１，３２，３３に一体成形されて突出する内鍔であり、これに太陽光パネル２７や面押え２８が止められる。
【００２０】
板羽根２７は、風受けポケット２９側の縦フレーム３１が取付位置であって、支持体１８，１８のリム２４に接続具を介して上下両端で固着される。角度等の取付け形態は様々となりうるが、その固着部分における円（リム２４）の接線Ｐ方向に板羽根９が延びている。
【００２１】
風受けポケット２９は、板羽根９の外面に沿ったＰ方向に開口する半円のチャンネル形であって、板羽根９で受けた風がさらにポケット２９で追加的に受けられ、そのため、強力且つ快速的な回転が保障される。
【実施例２】
【００２２】
図６は、太陽光パネル２７について他の実施例を示したもので、風受けポケット２９が単独に押出成形され、縦フレーム３１にネジ３６で止められている。
【符号の説明】
【００２３】
１  基台
３  風車
４  反射光照射装置としての反射鏡
５  外フレームパイプ
７  発電機
９  板羽根
１７  縦軸
１８  支持体
２２  ボス
２３  スポーク
２４  リム
２５  枠組み
２７  太陽光パネル
２９  風受けポケット
【図１】
2014169671.tif 000003
【図２】
2014169671.tif 000004
【図３】
2014169671.tif 000005
【図４】
2014169671.tif 000006
【図５】
2014169671.tif 000007
【図６】
2014169671.tif 000008
【図７】
2014169671.tif 000009